(57)【特許請求の範囲】
【請求項１】
弾性ウェブ材料（２）上に弾性部材（４）を適用するための方法であって、
走行方向に走る弾性ウェブ材料（２）を与えるステップと；
弾性ウェブ材料（２）上に予め決められた接着剤パターン（６）で接着剤を適用するステップと；
接着剤（６）上に弾性体パターンで連続弾性部材（４）を適用するステップであって、弾性部材（４）が、カーブパターンで、かつ少なくとも弾性部材（４）の一部分内で走行方向に対して交差するベクトル要素を有する範囲の方向で適用されるステップと；
弾性ウェブ材料（２）上に非弾性ウェブ材料（３）を適用するステップであって、非弾性ウェブ材料が接着剤パターン（６）をカバーするようにもたらされ、それによって弾性部材（４）は弾性ウェブ材料（２）と非弾性ウェブ材料（３）の間で接着剤パターン上に適用された位置でロックされるステップと、を含む方法において、
非弾性ウェブ材料（３）が第一非直線縁（８）及び第二非直線縁（９）を有するバンド形状を与えられ、非弾性ウェブ材料（３）の形状が接着剤パターン（６）の形状とほぼ一致するようにもたらされ、
非弾性ウェブ材料（３）の第一非直線縁（８）が弾性ウェブ材料（２）上に非弾性ウェブ材料（３）を置く前に非弾性ウェブ材料（３）を切断することによって形成され、
非弾性ウェブ材料（３）の第二非直線縁（９）が弾性ウェブ材料（２）上に非弾性ウェブ材料（３）を置いた後に、非弾性ウェブ材料（３）を切断することによって形成される
ことを特徴とする方法。
【請求項２】
弾性ウェブ材料（２）が衛生パンティ（２０）の製造のための製造ウェブ（１）における構成要素を構成し、脚開口（１０）が製造ウェブ（１）において切断され、非弾性ウェブ材料（３）の第二非直線縁（９）が脚開口（１０）を切断することによって形成されることを特徴とする請求項１に記載の方法。
【請求項３】
吸収芯（１３）が脚開口（１０）の間の製造ウェブ（１）に適用されることを特徴とする請求項２に記載の方法。
【請求項４】
弾性部材（４）が正弦曲線形状で弾性ウェブ材料（２）上に置かれることを特徴とする請求項１〜３のいずれかに記載の方法。
【請求項５】
弾性部材（４）がその長さの部分（４′）に沿って弾性ウェブ材料（２）の外側に置かれることを特徴とする請求項１〜４のいずれかに記載の方法。
【請求項６】
弾性ウェブ材料（２）の外側に置かれる弾性部材（４）の部分（４′）が非弾性ウェブ材料（３）の適用後に切り取られることを特徴とする請求項５に記載の方法。
【請求項７】
弾性部材（４）が少なくとも二つの部分部材からなることを特徴とする請求項１〜６のいずれかに記載の方法。
【請求項８】
非弾性ウェブ材料（３）が不織材料によって構成されることを特徴とする請求項１〜７のいずれかに記載の方法。
【請求項９】
弾性ウェブ材料（２）が有孔弾性フィルムの各側に取り付けられた不織層を有する三層積層体によって構成されることを特徴とする請求項１〜８のいずれかに記載の方法。
【発明の詳細な説明】
【技術分野】
【０００１】
本発明は弾性ウェブ材料上に弾性部材を適用するための方法であって、
走行方向に走る弾性ウェブ材料を与える；
弾性ウェブ材料上に予め決められた接着剤パターンで接着剤を適用する；
接着剤上に弾性体パターンで連続弾性部材を適用する、但し弾性部材は少なくとも弾性部材の部分内で走行方向からそれる範囲の方向で適用される；
弾性ウェブ材料上に非弾性ウェブ材料を適用する、但し非弾性ウェブ材料は接着剤パターンをカバーするようにもたらされ、それによって弾性部材は弾性ウェブ材料と非弾性ウェブ材料の間で接着剤パターン上に適用された位置でロックされる、
ことを含む方法に関する。
本発明は特に弾性パンツおむつの製造方法を提供することを目的とする。
【背景技術】
【０００２】
パンツおむつの形の失禁プロテクターを製造することは益々一般的になりつつある。かかるパンツおむつは一体的な吸収性内部を持つ外部パンティからなる。あるいは、外部パンティは別個の失禁シールドとともに使用されることができ、それは外部パンティ内に一時的に取り付けられ、従って同じ外部パンティを保持しながら新しい失禁シールドのために交換されることができる。両方の種類の失禁プロテクターは幼児用並びに失禁症の成人用に製造される。
【０００３】
ここで関連するパンツは使い捨ての種類のものであり、それはパンツおむつ又はおむつパンツが使用後に廃棄されることを意図され、洗浄されたり又はそうでなければ使用のために復元されたりすることを意図されないことを意味する。これは入手可能な材料及び製造方法がコストに有効なものでありかつ極めて高い価格を有する物品を生じないものであることを意味する。特に、高いスピードで様々な工程操作を行なうことができなければならず、それは方法の選択にある制限を課す。
【０００４】
パンツおむつ及びおむつパンツにおいて良好な適合を得て緊密な封止を達成するためには、これらは少なくとも部分的に弾性材料から製造されることが多い。例えば、腹部を囲む部分の全て又は側部パネルだけが弾性不織材料から作られてもよい。この方法では、良好な適合及び特定のサイズ適応が達成される。パンティ自体の弾性材料は通常、パンティの脚開口及び腰開口のまわりに配置される特別な弾性部材を補われる。かかる弾性部材は局所的に高い締め付けを与え、パンティが下方にずれないことを保証する。さらに、弾性部材はパンティの開口からの漏出に対して封止する。しかしながら、弾性部材が本質的に弾性である材料に取り付けられることになるときに問題が起こる。弾性部材を適所に保つためには、接着剤が通常、弾性材料に適用され、その後弾性要素が接着剤上に置かれる。その後、弾性部材は弾性材料層及び弾性部材の上にさらなる材料層を積層することによって適用された位置でロックされる。コスト的な理由のため、ロッキング材料としてさらなる弾性材料層を使用することは好ましくない。代わりに、不織布の如き通常の非弾性材料層が使用される。これは弾性材料層における弾性特性が強く低下され、ある場合には積層された領域において実際に完全になくなることを意味し、それはもちろん積層の望ましくない結果である。
【０００５】
結果として、本発明の目的は弾性ウェブ材料上に弾性材料を適用するための方法を提供することであり、そこでは弾性要素は弾性ウェブ材料の弾性特性に最小の負的影響で弾性ウェブ材料上にロックされる。
【発明の開示】
【０００６】
本発明によれば、冒頭に述べられた種類の方法が提供され、その方法は弾性ウェブ材料上への弾性部材の適用の従来公知の方法の問題を実質的に除去する。
【０００７】
本発明による方法は第一非直線縁及び第二非直線縁を有するバンド形状を与えられた非弾性ウェブ材料を主に特徴とし、非弾性ウェブ材料の形状は接着剤パターンの形状とほぼ一致するようにもたらされる。
【０００８】
非弾性ウェブ材料の第一非直線縁は弾性ウェブ材料上に非弾性ウェブ材料を置く前に非弾性ウェブ材料を切断することによって形成されることが好ましい。
【０００９】
本発明の一例によれば、非弾性ウェブ材料の第二非直線縁は弾性ウェブ材料上に非弾性ウェブ材料を置いた後に形成される。
【００１０】
弾性ウェブ材料は衛生パンティの製造のための製造ウェブにおける構成要素を構成してもよく、そこでは脚開口は製造ウェブにおいて切断される。従って、非弾性ウェブ材料の第二非直線縁は脚開口を切断するときに形成される。
【００１１】
衛生パンティは吸収性衛生パンティ又はパンツおむつであることができ、そこでは吸収芯は脚開口の間の製造ウェブに適用される。
【００１２】
本発明の一例によれば、弾性部材は正弦曲線形状で弾性ウェブ材料上に置かれる。
【００１３】
弾性部材を、その長さの一部に沿って弾性ウェブ材料の外側に置くように配置することもできる。この方法では、弾性ウェブ材料の外側に置かれる弾性部材の部分は非弾性ウェブ材料の適用後に切り取られることができる。
【００１４】
弾性部材は弾性バンド又は弾性糸の如き単一の弾性部材であってもよい。あるいは、弾性部材は少なくとも二つの部分部材からなってもよい。
【００１５】
本発明によれば、非弾性ウェブ材料は不織材料によって構成されることが有利である。
【００１６】
弾性ウェブ材料は有孔弾性フィルムの各側に取り付けられた不織層を有する三層積層体によって構成されることが有利である。
【００１７】
図面の簡単な記述
以下において、本発明は添付図面に示された図を参照してより詳細に記載されるだろう。
図１は本発明による製造ウェブを示す。
図２は吸収パッケージを示す。
図３は本発明による方法で製造されたパンツおむつを示す。
図４は本発明の代替例による製造ウェブを示す。
【発明を実施するための最良の形態】
【００１８】
図１に示された製造ウェブ１は弾性ウェブ材料２、非弾性ウェブ材料３、弾性部材４、及び多数の芯パッケージ５から作り上げられ、それらは互いに予め決められた相互の距離で弾性ウェブ材料上に分布される。製造ウェブは全ての構成要素が集成されているがウェブが個々の物品に加工される前の段階で図１に示されている。示された製造ウェブ１は続く製造工程においてパンツおむつに加工されることを意図される。
【００１９】
製造ウェブ１は弾性ウェブ材料２が弾性ウェブ材料の長さ方向と一致する製造方向に供給される連続工程で形成される。接着剤の被覆は弾性ウェブ材料２上にカーブ形状領域６で適用され、その後弾性部材４は接着剤に固定される。示された例では、接着剤は一般に正弦形状曲線に沿って適用される。接着剤はスプレー又は被覆の如き、目的のために好適な方法で適用されることができる。使用される接着剤はホットメルト接着剤であることが好ましく、それは溶融された形態で適用され、冷却後に凝固する。弾性部材をカーブ形状パターンで適所に保つために、非弾性ウェブ材料３は続いて接着剤被覆表面上に及び弾性要素４上に適用され、それによって弾性部材は二つのウェブ材料２，３の間にしっかりとロックされる。
【００２０】
非弾性ウェブ材料３が弾性ウェブ材料２上に置かれる前に、縁部分７はカーブ形状切断線８に沿って切り取られ、それは一般に、カーブ形状接着剤領域上に対応するカーブ形状縁と一致する。切断線８は非弾性ウェブ材料３が弾性ウェブ材料２上に置かれるときに非弾性ウェブ材料３がカーブ形状接着剤領域を完全にカバーするように適応される。置かれる前に切り取られる部分７は図１では傾斜線でマークされている。
【００２１】
弾性要素４が弾性ウェブ材料２と非弾性ウェブ材料３の間に取り付けられた後、芯パッケージ５は弾性ウェブ材料２上に予め決められた相互の距離で適用される。
【００２２】
芯パッケージ５は共通表面全体の上に又はその一部だけの上に製造ウェブ１に取り付けられることができる。例えば、芯パッケージ５は製造ウェブの横方向と一致する芯パッケージの長さ方向に各芯パッケージ５上に中央に延びるバンド形状領域又は線に沿ってのみ取り付けられることができる。あるいは、芯パッケージは一つ又は複数の横方向に又は縦方向に延びる線又はバンド形状領域に沿って取り付けられることができる。多数の散乱された取り付け点又は取り付け領域で芯パッケージ５を取り付けることもできる。芯パッケージ５の取り付けは溶接又は接着の如き好適な方法でなされることができる。
【００２３】
芯パッケージ５の適用後、脚くぼみ１０は各芯パッケージ５の間でかつ弾性要素４及びカーブ形状接着剤領域６の形状に一致する形状で製造ウェブ１から切断される。脚くぼみ１０が切断されるとき、非弾性ウェブ材料３は非弾性ウェブ材料３の実質的に三角形の部分１１を除去することによって同時に造形される。これによって、非弾性ウェブ材料３の残りの部分はカーブ形状接着剤領域６の形状に対応するバンド形状を与える。図１から明らかなように、最後に切断された非弾性ウェブ材料３は弾性部材４の一つの側上の第一カーブ形状切断縁８及び各脚くぼみ１０の縁の一部に沿って走る第二カーブ形状縁９を有しかつ脚くぼみ１０の間に直線区域を有するカーブ形状を持つ。従って、非弾性ウェブ材料３は弾性部材４の形状に適応されかつ弾性部材４及び周囲の接着剤被覆領域６だけをカバーする形状を与えられる。これは非弾性ウェブ材料３のみが弾性ウェブ材料２の弾性に縁的に影響することを意味する。
【００２４】
脚くぼみ１０を切断して切断部分を除去した後、製造ウェブ１は折りたたまれた縁及び開放縁が形成されるように製造方向に二重に折りたたまれる。折りたたまれた製造ウェブ１は製造方向に対して横切って間欠的に一緒に接合され、その接合は製造ウェブ１の開放縁から脚開口１０の各々の縁まで延びる。接合は技術的に公知の方法、例えば溶接又は接着によって形成され、開放可能であることが好ましい。これは接合された部分が引き離されるときに接合が周囲の材料の前に破壊することを意味する。しかしながら、接合は完成したパンツおむつを使用中に一緒に保持するために十分に強いことは当然必要である。
【００２５】
折りたたまれかつ接合された製造ウェブ１は続いて、個々のパンツおむつが製造ウェブ１から分離されるように各接合の中心で切断されることによって分割される。完成した吸収パンツおむつは次いで折りたたみ及び包装の如きさらなる工程を通過してもよい。
【００２６】
パンツおむつの製造中、ここに記載されていない追加の構成要素、例えば隆起した漏出バリヤーなどを適用することも当然可能である。かかる構成要素は吸収物品において一般的であるが、本発明にとって重要ではない。
【００２７】
パンツおむつのために好適な芯パッケージ５は図２において最も良好に示され、かつ液体バリヤー層１２、吸収芯１３及び液体透過性内部層１４を含む。芯パッケージ５は弾性ウェブ材料２に対して液体バリヤー層１２で取り付けられる。図２は二つの重ねられた吸収層１５，１６からなる吸収芯１３を示し、そこでは液体バリヤー層１２の最も近くに位置される下部吸収層１５は内部層１４の最も近くに位置される上部吸収層１６より幾分大きい。示された例では、芯パッケージ５は矩形の平面形状を有し、それは吸収芯１３を一緒に包囲する液体バリヤー層１２及び液体透過性内部層１４の形状によって規定される。図１に示されるように、芯パッケージ５が製造ウェブ１上に置かれるとき、液体透過性内部層１４及び液体バリヤー層１２の部分は脚開口１０を切断するときに切り取られ、それによって芯パッケージ５はより砂時計状の平面形状を与えられる。別の平面形状を有する芯パッケージ５を使用することは当然可能であり、液体バリヤー層１２及び内部層１４は例えば既に最初からおむつの脚開口後に造形されてもよい。また、台形、楕円形などを有する芯パッケージ５を使用することもできる。さらに、芯パッケージ５は図に示された形状を持つ必要はない。例えば衛生ナプキン又は軽い失禁のためのプロテクターとして意図された吸収パンティに対しては、主に吸収パンティの股部分に位置される吸収芯１３で十分でありうる。
【００２８】
液体透過性内部層１４は不織材料の層、有孔プラスチックフィルム、網、トウ又は同種物の如き、目的のために知られた材料からなってもよい。内部層１４はもちろん、同じ又は異なる材料の二以上の層の積層体からなってもよい。
【００２９】
液体バリヤー層１２は液体不透過性プラスチックフィルム、疎水性不織層又は液体バリヤー特性を持つように処理された不織層、又は液体透過に抵抗する能力を有する他の可撓性材料層からなってもよい。しかしながら、もし液体バリヤー層１２が特定の呼吸性を示すなら、即ち層１２の水蒸気の通過を可能とするなら有利であるかもしれない。
【００３０】
吸収芯１３はセルロース毛羽パルプ、ティッシュ、吸収フォームなどの吸収材料から形成されることができる。また、吸収芯１３は超吸収材、即ち水性ゲルを形成しながら自重の数倍に相当する体液を吸収することができるポリマー材料を含むことが一般的である。かかる超吸収材は通常、粒子の形で存在するが、繊維、フレーク、顆粒及びフィルムも見い出される。さらに、吸収芯１３は剛化要素、造形要素、結合剤などの非吸収性構成要素を含んでもよい。繊維詰物、連続気泡フォーム、吸い上げ層などの様々な種類の液体受容及び液体分配構造を芯パッケージ５に含めてもよい。
【００３１】
芯パッケージ５に含まれる様々な構成要素は互いに通常の方法で、例えば熱又は超音波による接着又は溶接によって接続されてもよい。明らかに、芯パッケージ５はここに記載されたものとは別のさらなる構成要素を含んでもよく、例えば芯パッケージは液体輸送層、弾性要素、形状安定要素、造形要素などを含んでもよい。たとえ二つの吸収層１５，１６を有する吸収芯が示されたとしても、別の配置を使用することができる。ある用途のためには、例えば単一の吸収層で十分であり、他の用途は二つより多い吸収層を要求するかもしれない。従って、吸収芯の設計は吸収芯が吸収することを期待される液体の量に適応されることができる。同様に、吸収されることになる体液の種類及び体液が吸収芯に運搬される方法はもちろん、吸収芯のサイズ及び特性にとって重要である。
【００３２】
図３に示されたパンツおむつ２０は弾性的に伸張可能な外部パンティ２１を含み、それは弾性ウェブ材料２から形成される。好適な弾性材料は様々な種類の弾性不織材料である。さらに、外部パンティ２１における弾性材料は積層体からなってもよい。本発明による吸収パンティに使用するために好適な弾性不織材料は吸収パンティの前部分上の脚開口の縁のまわりに十分な弾性封止を与えるためにパンティの横方向に少なくとも８０％、好ましくは少なくとも１００％弾性的に伸張できるべきである。さらに、もし弾性不織材料が吸収パンティの長さ方向にも、即ち横方向に垂直な方向に弾性的に伸張されることができるなら有利である。
【００３３】
図３に示されているように伸張された平面であるが集成された状態では、パンツおむつ２０の前部分２３は二つの側部接合２５においてパンツおむつの対応する後部分に接合される。この方法では脚開口２６及び二つの脚開口２７が形成される。
【００３４】
前に述べたように、側部接合２５はそれらがパンツおむつを装着している間に起こる引張力に抵抗することができるがそれらが使用された吸収パンティを除去するときに引き裂かれることができるような方法で行なわれることが好適である。
【００３５】
弾性部材４はパンツおむつの後部分２４上に脚弾性体として配置され、脚開口２７の後縁に従う。従って、脚開口まわりの弾性要素４はパンツおむつの後部分２４に配置されるだけであり、一方前部分２３上に延びる脚縁１５の部分は特別な弾性部材を持たない。外部パンティ２１は弾性材料を含むので、腰開口２６が特別な弾性要素を与えられる必要はなく、多くの用途のための外部パンティ２１の弾性はパンツおむつ２１を安全かつ快適に適所に着座させかつ使用者の腰のまわりを封止すれば十分である。増強された弾性効果を腰開口２６のまわりで得るための代替策は伸張に対する増大した抵抗を有するライニングが腰開口２６のまわりに形成されるように外部パンティ２において弾性材料を折りたたむことである。本発明の範囲内では、腰開口のまわりに弾性部材を配置することも当然可能である。かかる弾性部材は図１に示された製造ウェブ１の一方又は両方の縁に沿って適用される。
【００３６】
脚弾性体及び腰弾性体における弾性部材４は弾性糸、バンド又は同種物の形であってもよい。もし弾性糸又はバンドが使用されるなら、二つ以上のものが互いに平行に配置されることが多く、そのとき弾性部材において弾性部分部材を構成するだろう。弾性部材における材料はゴム、弾性フォーム又は同種物であってもよい。
【００３７】
記載されたパンツおむつは脚開口の後部分に沿って弾性部材を与えられているにすぎないが、脚開口の前部分に沿って代替的に又は一構成要素として弾性体を配置することが当然考えられる。
【００３８】
図４では製造ウェブ１が示され、それは弾性ウェブ材料２、非弾性ウェブ材料３、及び弾性部材４を含む。弾性部材４は接着剤領域６において弾性ウェブ材料２と非弾性ウェブ材料３の間に取り付けられる。弾性部材４の部分４′は製造ウェブの縁の外側を走り、弾性ウェブ材料２及び非弾性ウェブ材料３の切り取られた部分とともにカーブ形状切断縁８に沿って切り取られる。切断は二工程で行なわれることが有利である：細い直線縁区域１１′が第一工程で切断され、望ましくない部分の残りが後の製造工程で、たぶん製造ウェブ１とさらなる製造構成要素の接合後に切断される。非弾性ウェブ材料の対向縁もカーブ形状切断縁９を与えられる。これは非弾性ウェブ材料３が弾性ウェブ材料に接合される前になされることが好ましい。非弾性ウェブ材料３の除去された部分７，１１は図４では細い平行線を引かれている。
【００３９】
図４に示される製造ウェブ１は弾性要素４が物品上に破壊されずに延びることは望ましくない吸収物品の製造における一構成要素として含めることを意図される。さらに、弾性的に伸張可能な部分だけを持つ吸収物品を製造することは望ましいかもしれない。例えば、下方の胴部を包囲するが非弾性股部分を有する弾性部分を持つパンツおむつを設計することは一般的である。この目的のために、図４の伸縮性の弾性製造ウェブはさらなるウェブ材料と組み合わせ、完成した製造ウェブを形成することができる。
【図面の簡単な説明】
【００４０】
【図１】本発明による製造ウェブを示す。
【図２】吸収パッケージを示す。
【図３】本発明による方法で製造されたパンツおむつを示す。
【図４】本発明の代替例による製造ウェブを示す。
【図１】
0004684999.tif 000002
【図２】
0004684999.tif 000003
【図３】
0004684999.tif 000004
【図４】
0004684999.tif 000005